(57)【要約】【課題】  耐水性の携行型時計ケースのステム−リュウズ、そして、深い深さに潜水しているときに高い水圧に耐えるように構成している耐水性の携行型時計ケースを提供する。【解決手段】  耐水性の携行型時計ケース（１）のステム−リュウズ（９）は、携行型時計ケース（１）のミドル部（２）の管状の開口内に挿入されるステム（１１）と、及びステムに接続される第１の部分と取り扱い用の第２の部分を備えるリュウズ（１３）とを備える。リュウズの第１の部分には、環状接触面（２１）があり、この環状接触面は、ステムとリュウズの第１の部分の間のリンクからリュウズの第２の部分の外側の方へと延在しているステム−リュウズ（９）の軸方向の中心軸に対して９０°未満の所定の角度傾斜している。安静位置において、リュウズの第１の部分は、ミドル部の環状受け面（２２）と接触し、ないし環状受け面（２２）に支えられ、環状受け面（２２）の形は、外側に開いている管状の開口の端の形を補完する形である。【選択図】  図２ａ
2020183951.tif 000002
【特許請求の範囲】
【請求項１】
特にダイビングウォッチのための、耐水性の携行型時計ケース（１）のステム−リュウズのような制御メンバーであって、
前記ステム−リュウズは、前記携行型時計ケース（１）のミドル部（２）の管状の開口内に挿入されるように意図されているステム（１１）と、及び前記ステム（１１）に接続された第１の部分と取り扱い用の第２の部分を備えるリュウズ（１３）とを備え、
前記リュウズ（１３）の前記第１の部分には、環状接触面（２１）があり、この環状接触面（２１）は、前記ステム（１１）と前記リュウズの前記第１の部分の間のリンクから前記リュウズ（１３）の前記第２の部分の外側の方へと延在している前記ステム−リュウズ（９）の軸方向の中心軸に対して９０°未満の所定の角度傾斜しており、
前記リュウズの前記第１の部分は、相補的な形の前記ミドル部（２）の環状受け面（２２）と接触することができるように構成しており、
前記ステム（１１）は、前記携行型時計ケースにおける前記ミドル部（２）にある前記管状の開口（１２）の内側にて又は前記管状の開口（１２）の入り口にて、保持手段（２３）によって保持される
ことを特徴とする制御メンバー（９）。
【請求項２】
前記環状接触面（２１）は、テーパー状の面である
ことを特徴とする請求項１に記載の制御メンバー（９）。
【請求項３】
前記環状接触面（２１）の傾斜角度は、５５°±１０°のオーダーである
ことを特徴とする請求項１又は２に記載の制御メンバー（９）。
【請求項４】
前記環状接触面（２１）の傾斜角度は、５５°又は６５°である
ことを特徴とする請求項３に記載の制御メンバー（９）。
【請求項５】
前記ステム（１１）の一端には、ねじ山付きの部分（１１’）があり、これによって、前記携行型時計ケース（１）のミドル部（２）の管状の開口（１２）の保持手段として機能するねじ山（２３）にねじ込むことができる
ことを特徴とする請求項１〜４のいずれか一項に記載の制御メンバー（９）。
【請求項６】
前記ステム（１１）における前記ねじ山付きの部分（１１’）と前記リュウズ（１３）の前記第１の部分の間に第１の環状溝（１８）が形成されており、これによって、円環状である第１のパッキン（１７）を受ける
ことを特徴とする請求項５に記載の制御メンバー（９）。
【請求項７】
前記リュウズ（１３）の前記第１の部分において、前記ステム（１１）よりも前記リュウズ（１３）の前記第２の部分の近くに、第２の環状溝（２９）が形成されており、
この第２の環状溝（２９）は、円環状である第２のパッキン（１９）を受ける
ことを特徴とする請求項１〜６のいずれか一項に記載の制御メンバー（９）。
【請求項８】
請求項１〜７のいずれか一項に記載の制御メンバー（９）を少なくとも１つ備える携行型時計ケース（１）であって、
前記携行型時計ケース（１）は、さらに、前記ミドル部（２）の下側に取り付けられる少なくとも１つの裏部（４）と、及び前記ミドル部（２）の上側に取り付けられる風防（３）とを備え、
前記ミドル部（２）には、管状の開口（１２）があり、この管状の開口（１２）を前記ステム−リュウズ（９）の前記ステム（１１）が通り、前記ミドル部（２）には、前記管状の開口（１２）の外側の方の一端において環状受け面（２２）があり、これによって、安静位置において前記リュウズ（１３）の前記第１の部分を受け、
前記ミドル部（２）の環状受け面（２２）は、前記環状接触面（２１）の形を補完する形を有し、前記管状の開口（１２）の軸方向の中心軸に対して前記携行型時計ケース（１）の外側の方に９０°未満の所定の傾斜角度傾斜しており、
前記ステム（１１）は、前記携行型時計ケースにおける前記ミドル部（２）にある前記管状の開口（１２）の内側にて又は前記管状の開口（１２）の入り口にて、保持手段（２３）によって保持される
ことを特徴とする携行型時計ケース（１）。
【請求項９】
前記ミドル部（２）の環状受け面（２２）は、テーパー状である
ことを特徴とする請求項８に記載の携行型時計ケース（１）。
【請求項１０】
前記環状受け面（２２）の傾斜角度は、５５°±１０°のオーダーであり、前記環状接触面（２１）の傾斜角度と等しい
ことを特徴とする請求項８又は９に記載の携行型時計ケース（１）。
【請求項１１】
前記管状の開口（１２）には、内側ねじ山（２３）があり、前記ステム−リュウズ（９）が安静位置にあるときに、この内側ねじ山（２３）は、前記ステム（１１）のねじ山付き部分（１１’）がねじ込まれ、保持手段として機能し、
前記環状接触面（２１）は、前記環状受け面（２２）に支えられる
ことを特徴とする請求項８に記載の携行型時計ケース（１）。
【請求項１２】
前記ステム（１１）において第１の環状溝（１８）が形成されており、これによって、円環状であり前記管状の開口（１２）の内側面と接触する第１のパッキン（１７）を受ける
ことを特徴とする請求項８に記載の携行型時計ケース（１）。
【請求項１３】
前記リュウズ（１３）の前記第１の部分において、前記ステム（１１）よりも前記リュウズ（１３）の前記第２の部分の近くに、第２の環状溝（２９）が形成されており、
この第２の環状溝（２９）は、円環状であり安静位置において前記環状受け面（２２）と接触する第２のパッキン（１９）を受ける
ことを特徴とする請求項８に記載の携行型時計ケース（１）。
【発明の詳細な説明】
【技術分野】
【０００１】
本発明は、耐水性の携行型時計（例、腕時計、懐中時計）のケースのステム−リュウズのような制御メンバーに関し、特に、ダイビングウォッチ用のものに関する。
【０００２】
本発明は、さらに、ダイビングウォッチのための時間パラメーターや他の機能をセットするためのステム−リュウズのような制御メンバーを備える携行型時計ケースに関する。
【背景技術】
【０００３】
機械式又は電子式の携行型時計を水中で用いるためには、計時器用ムーブメントやタイムベースの計時器用モジュールを搭載している携行型時計ケースが密封されていなければならない。このために、携行型時計ケースは、ミドル部の第１の側に密封固定される裏部と、第１の側とは反対側のミドル部の第２の側に固定される風防とを備える。携行型時計の裏部、ミドル部及び風防を組み付けるために、パッキンが用いられる。また、携行型時計機能の制御メンバーないし設定メンバーは、待機位置において、ケースのミドル部を貫通するように密封取り付けされている。
【０００４】
潜水中などのときには携行型時計ケース内の圧力が大気圧に近く、制御メンバーないし設定メンバーを備える携行型時計ケースは、一般的には、携行型時計ケースの高い水圧に耐えるように構成していたり組み付けられたりしていない。伝統的な携行型時計の単純なパッキンでは、非常に深くまで潜水しているときに耐水性が良好であることを確実にするために十分ではない。
【０００５】
スイス特許文献ＣＨ６９０８７０Ａ５には、耐水性の携行型時計ケースが記載されている。この携行型時計ケースは、上側でミドルベゼルに固定される風防と、ミドル部の内ねじにねじ込まれることによって固定される裏部によって構成している。この風防は、円環状の環状パッキンを用いてミドル部に固定され、ミドル部のリムに支えられる。また、裏部の外側リムとミドル部の下面の間にもパッキンが設けられる。また、ねじ山が高い水圧で損傷する可能性があるため、耐久性が高い金属によって作られたドームも設けられる。このドームは、裏部の内側面、そして、ミドル部の内側縁部に支えられる。しかし、携行型時計ケースがこのように構成していても、非常に深い深さまで潜水しているときにケースの耐水性が良好であることを確実にすることはできていない。このことは望ましくない。
【０００６】
スイス特許文献ＣＨ３７２６０６は、裏部を囲み風防によって閉じられる中央部ないしミドル部を備える耐水性の携行型時計ケースについて記載している。ねじ山付きリングは、裏部の傾斜した外側面に支えられて裏部を保持し、ミドル部に接続された固定部にねじ込まれる。このような構成では、非常に深い深さまで潜水しているときにケースの良好な耐水性を確実にすることはできない。このことは望ましくない。
【０００７】
欧州特許文献ＥＰ３４３２０８４Ａ１は、携行型時計ケースのミドル部を貫通するように取り付けられたステム−リュウズのような制御メンバーについて開示している。ステム−リュウズには、ねじ山付き部分があり、これによって、ミドル部にある貫通穴のねじ山にねじ込まれる。ステムの頂上部分は、直径がそのねじ山付き部分よりも大きく、安静位置においてこのステムの頂上部分を受けるための凹部の底部における角に支えられる。ステムの頂上部分の環状溝に、円環状であるパッキンが配置され、このパッキンは、凹部の内側壁と接触して耐水性を確実にする。しかし、開示されている構成では、非常に深い深さまで潜水しているときにケースとその制御メンバーの良好な耐水性が確実になっていない。このことは望ましくない。
【発明の概要】
【発明が解決しようとする課題】
【０００８】
したがって、本発明は、一方では、耐水性の携行型時計ケースのステム−リュウズのような制御メンバー、そして、他方では、深い深さに潜水しているときに高い水圧に耐えるように構成している耐水性の携行型時計ケースを提案することによって、上述の従来技術の課題を解決することを主な目的とする。
【課題を解決するための手段】
【０００９】
このために、本発明は、独立請求項１に記載の特徴を備える耐水性の携行型時計ケースのステム−リュウズのような制御メンバーに関する。
【００１０】
従属請求項２〜７において、当該制御メンバーの特定の実施形態が定められている。
【００１１】
この耐水性の携行型時計ケースの制御メンバーの利点は、リュウズが第１の部分と取り扱い用の第２の部分を備えるようなステム−リュウズの形態であることに基づいている。この第１の部分には、環状接触面があり、この環状接触面は、ステム−リュウズの軸方向の中心軸に対して９０°未満の所定の角度傾斜しており、これによって、相補的な形を有するミドル部の環状受け面と接触することができるようになる。このようにして、ステム−リュウズが携行型時計ケースのミドル部に取り付けられた後には、水圧と携行型時計ケースの内部の圧力の間の圧力差が少しでもあれば、携行型時計ケースの内側の方に傾斜している接触面どうしの間の隙間をいずれも閉じようとする。
【００１２】
このために、本発明は、さらに、独立請求項８に記載の特徴を備えるステム−リュウズのような制御メンバーを少なくとも１つ備える耐水性の携行型時計ケースに関する。
【００１３】
従属請求項９〜１３に、耐水性の携行型時計ケースのいくつかの実施形態が定められている。
【００１４】
好ましいことに、リュウズには、環状接触面があり、この環状接触面は、ステム−リュウズの軸方向の中心軸に対して９０°未満の所定の角度傾斜しており、これによって、安静位置にあるときに相補的な形を有するミドル部の環状受け面と接触することができるようになる。
【００１５】
図面を参照しながら以下の説明を読むことによって、耐水性の携行型時計ケースのステム−リュウズのような制御メンバー、そして、このような制御メンバーを備える携行型時計ケースについての目的、利点及び特徴をよく理解することができるであろう。なお、これに限定されない。
【図面の簡単な説明】
【００１６】
【図１】本発明に係るダイビングウォッチの耐水性のケースについての断面図を単純化した形態で示している。
【図２ａ】図２ａは、本発明に係る耐水性のケースを安静位置における制御メンバーに焦点を当てて示している詳細な断面図である。
【図２ｂ】図２ｂは、本発明に係る耐水性のケースを設定位置における制御メンバーに焦点を当てて示している詳細な断面図である。
【発明を実施するための形態】
【００１７】
以下において、当業者によく知られている、耐水性の携行型時計、特に、ダイビングウォッチ、のケースの構成要素についてはすべて簡略化した形態でのみ説明している。
【００１８】
図１は、ダイビングウォッチに用いることができる携行型時計ケース１を示している。携行型時計ケース１は、基本的に、ミドル部２の上側に固定されサファイアや鉱物ガラスによって作ることができる風防３と、可能性としては、ミドル部２の下側に取り付けられる裏部４と、及び図示しているステム−リュウズのような少なくとも１つの制御メンバー９とを備える。図２ａ及び２ｂを参照しながら下で詳細に説明するように、制御メンバー９は、ミドル部２上に又はミドル部２を通り抜けるように安静位置において、あるいは設定位置において、耐水性があるように取り付けられることができる。ダイビングウォッチのための時間、日付又は他の機能を設定するために、この制御メンバー９を用いることができる。また、ミドル部２の上側上にベゼル７を取り付けることもできる。計時器用ムーブメントないしモジュール１０が携行型時計ケース１におけるケーシングサークル８内に配置される。
【００１９】
制御メンバー９は、ステム−リュウズ９の形態で存在する。これは、主に、ステム１１と、及び携行型時計ケース１の外側からユーザーの片手によって取り扱われることができるリュウズ１３とを備える。安静位置において、図１に示しているように、ステム１１は、ミドル部２にある管状の開口１２を通り抜ける。このステム１１は、別の内側ステムに続いており、ダイビングウォッチの時間や他の機能に関するパラメーターを設定するために携行型時計ケース１の内側へのアクセスを可能にする。ステム１１は、特に設定操作を行うことができない安静位置において、携行型時計ケースにおけるミドル部２にある管状の開口１２の内側にて、又はその入り口にて、保持手段２３によって保持されることができる。好ましくは、ステム１１には、携行型時計ケース１の内側の方の一端において、ミドル部２の管状の開口１２の内側における、保持手段として機能する、内側ねじ山２３にねじ込まれるねじ山付き部分１１’がある。ステム１１には、さらに、パッキン１７がある環状溝１８があり、このパッキン１７は、円環状であり、管状の開口１２の内側面と接触しており、直径がステム１１の直径よりもわずかに大きい。環状溝１８は、ねじ山付き部分１１’とリュウズ１３の間にあり、好ましくは、設定位置においてパッキン１７が管状の開口１２の内側で接触し続けるようにねじ山付き部分１１’の方がより近い。
【００２０】
リュウズ１３には、ステム１１を取り扱い用の第２の部分に直接接続する第１の部分がある。第１の部分には、環状接触面２１があり、この環状接触面２１は、ステム１１とリュウズ１３の第１の部分の間のリンクからリュウズ１３の第２の部分又は携行型時計ケース１の外側の方へと延在しているステム−リュウズ９の軸方向の中心軸に対して９０°未満の所定の角度傾斜している。リュウズの第１の部分には、さらに、第２のパッキン１９（ブタジエンゴムニトリル）を収容する第２の環状溝２９があり、この第２のパッキン１９は、円環状であり、かつ、リュウズ１３の第１の部分と取り扱い用の第２の部分の間のリンクの近くに位置している。第２の環状溝２９は、ステム−リュウズ９が設定位置にあるときにこの溝２９内に第２のパッキン１９を保持するように四角形の断面を有することができる。
【００２１】
リュウズ１３の第１の部分の環状接触面２１は、安静位置にあるときにミドル部２の環状受け面２２と接触するように所定の角度傾斜している。この環状受け面２２の形は、環状接触面２１の形を補完する形であり、通常、環状接触面２１と同じ傾斜角度である。ミドル部２の環状受け面２２と同様に、リュウズ１３の第１の部分の環状接触面２１が円錐状である場合、面２１、２２の傾斜角度αは、５５°±１０°のオーダーであることができ、好ましくは５５°であり、又は６５°であることもできる。
【００２２】
なお、リュウズ１３の第１の部分と第２の部分は単一の堅固な部品のみを形成し、これは、例えば、１つの種類の材料によって作られ、例えば、ミドル部と同様に作られ、例えば、チタンによって作られる。また、ステム１１は、単一の部品のみを形成するようにリュウズと直接一体化されていることもできる。
【００２３】
裏部４には、内側ねじ山がある環状縁部１４があり、これによって、ミドル部２の下側にあるねじ山１５にねじ込むことができる。裏部４の環状支持面は、裏部４をミドル部２に取り付けるときにミドル部２の環状内側面と接触する。これは、支持面と相補的な形状である。支持面と内側面は、携行型時計ケース１の平面に垂直な軸に対して所定の角度傾斜している。概して円筒状であるミドル部の場合、支持面と内側面は、テーパー状であり、携行型時計ケース１の中心軸に対して携行型時計ケース１の内側の方へと所定の角度傾いている。また、ミドル部２の下側には、裏部４がミドル部２に取り付けられているときに支持面２４に接触する円環状のパッキン６（ブタジエンゴムニトリル）を収容する環状溝１６がある。チタンのような材料によって作られたミドル部２と裏部４の場合、前記角度は中心軸に対して６０°±５°のオーダーであることができる。このことによって、深い深さまで潜水しているときの水圧に起因する裏部４とミドル部２の間の応力の分布を良好にすることができる。
【００２４】
風防３は、裏部４をミドル部２に取り付けるときの原理と同じ原理に従ってミドル部２に固定される。このために、風防３には、環状周面があり、ミドル部２の上側の環状内側面上にある固定用ガスケット５を用いて固定される。環状内側面は、環状周面に対して相補的な形状である。風防３の環状周面１３は、携行型時計ケース１の平面に垂直な軸に対して９０°未満の所定の角度傾斜している。好ましくは、環状内側面は、概して、中心軸に対して携行型時計ケース１の内側の方に環状周面と同じ角度傾斜している。ミドル部は概して円筒状の形をしているが、環状内側面と環状周面はテーパー状である。これらの面の前記所定の傾斜角度は、中心軸に対して４３°±５°のオーダーであることができる。このことのおかげで、深い深さまで潜水しているときの水圧に起因する風防３とミドル部２の間の応力の分布が良好になる。携行型時計ケース１の内側の方に接触面が傾いているおかげで、携行型時計ケース１内の圧力と水圧の差によって、固定用ガスケット５と接触する面の間の隙間をいずれも閉じようとする。このことによって、耐水性が良好であることと耐圧力性が確実になる。
【００２５】
この固定用ガスケット５は、アモルファス金属ないしアモルファス金属合金によって作ることができる。固定用ガスケット５は、ミドル部２上にて風防３を密封して閉じるために環状の形状をしている。全体的に円筒状であるミドル部２の場合、固定用ガスケット５には、ミドル部２の環状内側壁と風防３の環状外側壁に付着する円筒状の部分の下に位置するテーパー状の部分がある。風防３は、熱間固定操作の後に、アモルファス金属によって作られたガスケットを用いてミドル部２に固定される。
【００２６】
一体的な金属ガスケット５、５’全体を作るために、いくつかのタイプのアモルファス金属合金を用いることができる。最も一般的な場合では、アモルファス金属合金は、主にジルコニウムによって構成していることができる。このことによって、３５０℃よりも高い温度で、すなわち、合金のガラス転移温度よりも高い温度で、ガスケットを形成することが可能になる。ジルコニウムベースのアモルファス金属合金は、Ｚｒ（５２．５％）、Ｃｕ（１７．６％）、Ｎｉ（１４．９％）、Ａｌ（１０％）及びＴｉ（５％）によって構成していることができる。また、ジルコニウムベースのアモルファス金属合金は、Ｚｒ（５８．５％）、Ｃｕ（１５．６％）、Ｎｉ（１２．８％）、Ａｌ（１０．３％）及びＮｂ（２．８％）を含有することができる。また、ジルコニウムベースのアモルファス金属合金は、Ｚｒ（４４％）、Ｔｉ（１１％）、Ｃｕ（９．８％）、Ｎｉ（１０．２％）及びＢｅ（２５％）を含有することができ、あるいは最後に、Ｚｒ（５８％）、Ｃｕ（２２％）、Ｆｅ（８％）及びＡｌ（１２％）を含有することができる。好ましくは、このようなガスケットの製造を容易にするために、アモルファス金属合金は、主に、白金によって構成していることができる。このことによって、２３０℃よりも高い温度でガスケットを形成することが可能になる白金ベースのアモルファス金属合金は、Ｐｔ（５７．５％）、Ｃｕ（１４．７％）、Ｎｉ（５．３％）及びＰ（２２．５％）を含有することができる。また、主にパラジウム（Ｐｄ）をベースとするアモルファス金属合金の一体的な金属ガスケット５、５’を作ることも可能である。このことによって、３００℃よりも高い温度でガスケットを形成することができる。
【００２７】
また、以下のようなアモルファス金属の他の合金についても言及することができる。チタンベースのアモルファス金属合金は、Ｔｉ（４１．５％）、Ｚｒ（１０％）、Ｃｕ（３５％）、Ｐｄ（１１％）及びＳｎ（２．５％）を含有することができる。パラジウムベースのアモルファス金属合金は、Ｐｄ（４３％）、Ｃｕ（２７％）、Ｎｉ（１０％）及びＰ（２０％）を含有することができ、あるいはＰｄ（７７％）、Ｃｕ（６％）及びＳｉ（１６．５％）を含有することができ、あるいは最後に、Ｐｄ（７９％）、Ｃｕ（６％）、Ｓｉ（１０％）及びＰ（５％）を含有することができる。ニッケルベースのアモルファス金属合金は、Ｎｉ（５３％）、Ｎｂ（２０％）、Ｔｉ（１０％）、Ｚｒ（８％）、Ｃｏ（６％）及びＣｕ（３％）を含有することができ、あるいはＮｉ（６７％）、Ｃｒ（６％）、Ｆｅ（４％）、Ｓｉ（７％）、Ｃ（０．２５％）及びＢ（１５．７５％）を含有することができ、あるいは最後に、Ｎｉ（６０％）、Ｐｄ（２０％）、Ｐ（１７％）及びＢ（３％）を含有することができる。鉄ベースのアモルファス金属合金は、Ｆｅ（４５％）、Ｃｒ（２０％）、Ｍｏ（１４％）、Ｃ（１５％）及びＢ（６％）を含有することができ、あるいはＦｅ（５６％）、Ｃｏ（７％）、Ｎｉ（７％）、Ｚｒ（８％）、Ｎｂ（２％）及びＢ（２０％）を含有することができる。金ベースのアモルファス金属合金は、Ａｕ（４９％）、Ａｇ（５％）、Ｐｄ（２．３％）、Ｃｕ（２６．９％）及びＳｉ（１６．３％）を含有することができる。
【００２８】
図２ａは、ミドル部２における安静位置における制御メンバー９に焦点を当てている携行型時計ケースの詳細な断面図であり、図２ｂは、ミドル部２における開口１２の部分的に外側にある設定位置における制御メンバー９に焦点を当てている携行型時計ケースの詳細な断面図である。単純化するために、制御メンバー９とミドル部２に関連する要素のみを説明する。なぜなら、携行型時計ケースのすべての要素を図１を参照しながらすでに上で言及しているからである。
【００２９】
この実施形態において、リュウズ１３の第１の部分の環状接触面２１は、テーパー状であるものとし、ミドル部２の環状受け面２２は、環状接触面２１の形を補完する形であるものとする。図２ａにおいて、ステム１１のねじ山付き部分１１’がミドル部２の環状開口１２の内側ねじ山２３にねじ込まれた後に、リュウズ１３の第１の部分は、ミドル部２の環状受け面２２における凹部のテーパー状の面に支えられるように配置される。面２１、２２の傾斜角度αは、５５°±１０°のオーダーであることができ、好ましくは５５°、又はさらには６５°である。この安静位置において、第２のパッキン１９は、ミドル部２の環状受け面２２に支えられる。これによって、密封性が維持されるが、ダイビングウォッチが深い深さの水中にあるときには、リュウズ１３とミドル部２の間のテーパー状の面を利用する接触構成によって、接触面の間の隙間がいずれも密封され、応力の分布を改善させることができる。
【００３０】
図２ｂに示しているようにダイビングウォッチのために時間パラメーターや他の機能を設定するために、環状開口１２のねじ山２３の部分１１’のねじを緩めるようにリュウズ１３が回転し、リュウズ１３が携行型時計ケースに対して外側に引かれる。通常、ステム１１は、別の内側ステムによって、携行型時計ケースの内側の方へと、ダイビングウォッチの時間パラメーターや他の機能を設定する構成要素に接続されるが、携行型時計ケースの一部を形成するように考えられたステム−リュウズ９のみを説明している。
【００３１】
なお、リュウズ１３の第１の部分の断面が正方形、長方形又は多角形であることも考えることができる。このことは、互いにリンクされて環状支持面を形成する傾斜平面を有する複数の部分によって、リュウズの環状接触面２１を形成することができることを意味している。このような状況で、管状の開口１２における保持手段２３は、ねじ山ではなく、キャッチ、フック、又は他の保持手段であることができる。
【００３２】
以上の説明から、当業者であれば、請求の範囲において定められた本発明の範囲から逸脱することなく、ステム−リュウズのような制御メンバー及び携行型時計ケースのいくつかの代替的な実施形態を設計することができる。
【符号の説明】
【００３３】
１  携行型時計ケース
２  ミドル部
３  風防
４  裏部
９  ステム−リュウズ
１０  計時器用ムーブメント
１１  ステム
１１’  ねじ山付きの部分
１２  管状の開口
１３  リュウズ
１７  第１のパッキン
１８  第１の環状溝
１９  第２のパッキン
２１  環状接触面
２２  環状受け面
２３  ねじ山
２９  第２の環状溝
【図１】
2020183951.tif 000003
【図２ａ】
2020183951.tif 000004
【図２ｂ】
2020183951.tif 000005
【外国語明細書】
2020183951000001.pdf